(57)【要約】【課題】  記録媒体に記録されたデジタルデータを適切に読み取ることが出来るように記録時あるいは再生時に工夫を凝らしたホログラム記録装置等を提供することを目的としている。【解決手段】  空間光変調器２３の入射面２３ａには、多数のデジタルデータ変換領域２３ｂ，２３ｃ・・が設けられ、各デジタルデータ変換領域２３ｂ，２３ｃ・・は間隔Ｌ１を空けて形成されている。参照光とデータ光が記録媒体に照射されることで、デジタルデータが記録されるが、前記デジタルデータは、前記各デジタルデータ変換領域２３ｂ，２３ｃが間隔Ｌ１を空けて形成されているため、記録媒体に従来よりも広い間隔を有して記録される。よって再生時、記録時の前記参照光の入射角度と異なる入射角度としても、前記データどうしが重なり合わず、適切に前記データを適切に読み取ることが出来る。【選択図】図４
2006244043.tif 000002
【特許請求の範囲】
【請求項１】
光を発する発光手段と、記録信号に基づき光を透過あるいは遮断して２次元のデジタルデータを得るための空間光変調器とを有し、
参照光と、前記デジタルデータを含むデータ光とを干渉させることで、記録媒体に前記デジタルデータを記録するためのホログラム記録装置において、
再生時、記録時の前記参照光の入射角度及び／又は波長と異なる値にて、前記デジタルデータを読み取るときに、デジタルデータどうしが重なり合わないように、前記デジタルデータが間隔を空けて記録されることを特徴とするホログラム記録装置。
【請求項２】
前記空間光変調器には、多数のデジタルデータ変換領域が設けられ、各デジタルデータ変換領域が間隔を空けて形成されている請求項１記載のホログラム記録装置。
【請求項３】
前記空間光変調器には、多数のデジタルデータ変換領域が隣接して設けられており、各デジタルデータ変換領域間の境界線上に沿って所定幅のマスクが設けられている請求項１記載のホログラム記録装置。
【請求項４】
参照光を発する発光手段と、記録媒体に記録されているデジタルデータを取得する撮像手段とを有し、前記参照光を前記記録媒体に入射させて、前記デジタルデータを前記撮像素子にて読み取るホログラム再生装置において、
再生時、記録時の前記参照光の入射角度及び／又は波長と異なる値にて、前記デジタルデータを前記撮像手段にて読み取るときに、デジタルデータどうしが重なり合った部分は、光を受光しない不感部分として制御されることを特徴とするホログラム再生装置。
【請求項５】
前記不感部分はマスクで覆われている請求項４記載のホログラム再生装置。
【請求項６】
光を発する発光手段と、記録情報に基づき光を透過あるいは遮断して２次元のデジタルデータを得るための空間光変調器とを有し、
参照光と、前記デジタルデータを含むデータ光とを干渉させることで、記録媒体に前記デジタルデータを記録するためのホログラム記録方法において、
再生時、記録時の前記参照光の入射角度及び／又は波長と異なる値にて、前記デジタルデータを読み取るときに、デジタルデータどうしが重なり合わないように、前記デジタルデータを間隔を空けて記録することを特徴とするホログラム記録方法。
【請求項７】
参照光を発する発光手段と、記録媒体に記録されているデジタルデータを取得する撮像手段とを有し、前記参照光を前記記録媒体に入射させて、前記デジタルデータを前記撮像手段にて読み取るホログラム再生方法において、
再生時、記録時の前記参照光の入射角度及び／又は波長と異なる値にて、前記デジタルデータを前記撮像手段にて読み取るとき、デジタルデータどうしが重なり合った部分は、前記撮像手段が光を受光しない不感部分として読み取らないことを特徴とするホログラム再生方法。
【発明の詳細な説明】
【技術分野】
【０００１】
本発明は、例えば参照光とデータ光とを入射させることにより記録媒体にデジタルデータを記録可能なホログラム記録装置、ホログラム再生装置、ホログラム記録方法及びホログラム再生方法に関する。
【背景技術】
【０００２】
ホログラム記録方法は、図９に示すように、参照光１と、二次元のデジタルデータ（例えばデジタル映像データ）を含むデータ光２とを記録媒体３に干渉させることで行なわれる。図９に示すように記録媒体４に記録された前記デジタルデータ４は干渉縞（ホログラム）として現われる。
【０００３】
図９に示す符号５は、空間光変調器であり、前記空間光変調器５では、″０″あるいは″１″のデジタル信号（記録信号）を二次元のデジタルデータに変換する。図８に示すように前記空間光変調器５には格子状に多数のデジタルデータ変換領域５ａ，５ｂ・・・が区画されており、各デジタルデータ変換領域５ａ，５ｂ・・・どうしは隣接している。前記空間光変調器５は、例えば液晶素子であり、例えば″０″の前記デジタル信号を受け取ったデジタルデータ変換領域５ａ，５ｂ・・・では、前記デジタル信号を、「暗」のデジタルデータに、″１″の前記デジタル信号を受け取ったデジタルデータ変換領域５ａ，５ｂ・・・では、前記デジタル信号を、「明」のデジタルデータに変換する。「暗」のデジタルデータは、光を遮断し、「明」のデジタルデータは光を透過することで、データ光２は、光強度が空間的に変調され、前記参照光１との干渉によって、前記デジタルデータ４が干渉縞（ホログラム）として前記記録媒体３に形成されるのである。
【０００４】
一方、再生時にはデータ光２を入射せずに参照光１だけを入射させると、ブラッグ条件式により、前記参照光１がデジタルデータ４の干渉縞で回折され、再生光（回折光）６が発せられる。このときの再生光６は、記録媒体３に記録された前記データ光２と同一の内容を表すため、前記再生光６上にＣＣＤやＣＭＯＳなどからなる撮像素子７を配置しておくことにより、記録媒体３に記録されているデジタルデータ４の内容を読み出すことが可能とされている。
【０００５】
ホログラムによる記録では、同一領域に多重記録（角度多重や波長多重等）が可能であり、しかも高速レートで記録・再生を行なうことが出来るといった利点がある。
【０００６】
ホログラムを用いた先行技術としては、例えば以下の特許文献１などが存在する。
【特許文献１】特開２００１−９３１５７号公報
【発明の開示】
【発明が解決しようとする課題】
【０００７】
ところでホログラムを用いた場合、記録時に、参照光１を、ある所定の波長λ３で且つ記録媒体３の表面２ａに対し所定の入射角度θ１とした場合、再生時にも同じ波長λ３で且つ入射角度θ１の参照光１を前記記録媒体３に照射しないと、再生光６を得ることが出来ず記録媒体３に記録されたデジタルデータ４を読み取ることが出来ない。
【０００８】
例えば角度多重方式において光源の波長がずれていた場合には、光の入射角度を微調整してブラッグ条件を満足させないと再生光を得ることが出来ない。また波長多重方式において光の入射角度が記録時とずれていた場合には、波長を微調整してブラッグ条件を満足させないと再生光を得ることが出来ない。さらに、記録媒体が温度変化によって膨張収縮した場合に、記録した干渉縞（ホログラム）の間隔や角度が変化するため、光の入射角度や波長の調整を行なわないと再生光を得ることが出来ない。
【０００９】
このため、例えば、図１０のように、再生時、参照光８の入射角度を前記θ１と異なるθ２として入射した場合、参照光８の波長をλ３のままにすると、前記再生光６を得ることが出来ない。かかる場合は、ブラッグ条件式２ｄｓｉｎθ＝ｎλに合致するように前記参照光８の波長をλ３とは異なるλ４にすることで、前記再生光６を得ることが出来る。
【００１０】
しかしかかる場合、前記参照光８のデジタルデータ４に対する回折角度が、前記参照光１の入射角度をθ１とした場合と異なるために、再生光６が記録媒体３の膜厚方向（図示Ｚ方向）に対し傾いて発せられ、図１０に示すように隣合うデジタルデータ４どうしが一部重なって再生されてしまい、重なった箇所Ａでは、前記撮像素子７にてデジタルデータ４がぼやけて再生されたり、あるいはデータを読み取ることが出来なくなるといった問題が発生した。
【００１１】
そこで本発明は上記従来の課題を解決するためのものであり、特に、記録媒体に記録されたデジタルデータを適切に読み取ることが出来るように記録時あるいは再生時に工夫を凝らしたホログラム記録装置、ホログラム再生装置、ホログラム記録方法及びホログラム再生方法を提供することを目的としている。
【課題を解決するための手段】
【００１２】
本発明は、
光を発する発光手段と、記録信号に基づき光を透過あるいは遮断して２次元のデジタルデータを得るための空間光変調器とを有し、
参照光と、前記デジタルデータを含むデータ光とを干渉させることで、記録媒体に前記デジタルデータを記録するためのホログラム記録装置において、
再生時、記録時の前記参照光の入射角度及び／又は波長と異なる値にて、前記デジタルデータを読み取るときに、デジタルデータどうしが重なり合わないように、前記デジタルデータが間隔を空けて記録されることを特徴とするものである。
【００１３】
本発明では上記のように従来に比べて前記デジタルデータを間隔を空けて記録することで、再生時、例えば、記録時の前記参照光の入射角度と異なる入射角度にて、前記デジタルデータを読み取るときでも、前記デジタルデータどうしが重なって再生されるのを抑制でき、適切に前記デジタルデータを読みとることが出来る。
【００１４】
本発明では、前記空間光変調器には、多数のデジタルデータ変換領域が設けられ、各デジタルデータ変換領域が間隔を空けて形成されていることが好ましい。
【００１５】
あるいは、前記空間光変調器には、多数のデジタルデータ変換領域が隣接して設けられており、各デジタルデータ変換領域間の境界線上に沿って所定幅のマスクが設けられていてもよい。
【００１６】
上記により、再生時、例えば、記録時の前記参照光の入射角度と異なる入射角度にて、前記デジタルデータを読み取るときでも、前記デジタルデータどうしが重なって再生されるのを抑制できる。
【００１７】
また本発明は、
参照光を発する発光手段と、記録媒体に記録されているデジタルデータを取得する撮像手段とを有し、前記参照光を前記記録媒体に入射させて、前記デジタルデータを前記撮像素子にて読み取るホログラム再生装置において、
再生時、記録時の前記参照光の入射角度及び／又は波長と異なる値にて、前記デジタルデータを前記撮像手段にて読み取るときに、デジタルデータどうしが重なり合った部分は、光を受光しない不感部分として制御されることを特徴とするものである。
【００１８】
上記の発明では、例えば従来と同じホログラム記録装置を使用できる。かかる場合、再生時、例えば、記録時の前記参照光の入射角度と異なる入射角度にて、前記デジタルデータを前記撮像手段にて読み取るときに、デジタルデータどうしが重なって再生される可能性があるが、前記撮像手段のうち、前記デジタルデータどうしが重なった部分を光を受光しない不感部分とすることで、適切に前記デジタルデータを読みとることが出来る。
例えば、前記不感部分はマスクで覆われていることが好ましい。
【００１９】
本発明は、
光を発する発光手段と、記録情報に基づき光を透過あるいは遮断して２次元のデジタルデータを得るための空間光変調器とを有し、
参照光と、前記デジタルデータを含むデータ光とを干渉させることで、記録媒体に前記デジタルデータを記録するためのホログラム記録方法において、
再生時、記録時の前記参照光の入射角度及び／又は波長と異なる値にて、前記デジタルデータを読み取るときに、デジタルデータどうしが重なり合わないように、前記デジタルデータを間隔を空けて記録することを特徴とするものである。
【００２０】
例えば、前記空間光変調器の各デジタルデータ変換領域の間隔を空ける等することで、デジタルデータどうしが重なって再生されないように、前記デジタルデータを間隔を空けて記録でき、これによって適切に前記デジタルデータを読み取ることが出来る。
【００２１】
あるいは本発明は、
参照光を発する発光手段と、記録媒体に記録されているデジタルデータを取得する撮像手段とを有し、前記参照光を前記記録媒体に入射させて、前記デジタルデータを前記撮像手段にて読み取るホログラム再生方法において、
再生時、記録時の前記参照光の入射角度及び／又は波長と異なる値にて、前記デジタルデータを前記撮像手段にて読み取るとき、デジタルデータどうしが重なり合った部分は、前記撮像手段が光を受光しない不感部分として読み取らないことを特徴とするものである。
【００２２】
上記では、記デジタルデータを前記撮像手段にて読み取るとき、デジタルデータどうしの重なった部分が読み取られないため、デジタルデータが従来のようにぼやけたりすることなく適切に、前記デジタルデータを読みとることが出来る。
【発明の効果】
【００２３】
本発明では、ホログラム記録装置において、例えば、再生時、記録時の参照光の入射角度と異なる入射角度にて、デジタルデータを読み取るときに、デジタルデータどうしが重なり合わないように、前記デジタルデータが間隔を空けて記録されるので、適切に前記デジタルデータを読みとることが出来る。
【発明を実施するための最良の形態】
【００２４】
図１は、本発明の実施形態として、ホログラム記録装置によって記録媒体にデジタルデータを記録する概念図、図２は、本発明の実施形態として、ホログラム再生装置によって記録媒体からデジタルデータを再生する概念図、図３は前記ホログラム記録装置の部分構成図、図４は、本発明の空間光変調器の部分正面図、図５は図４とは異なる形態の前記空間光変調器の部分正面図、図６は撮像素子（ＣＭＯＳ）の受光部の部分正面図、図７は、前記撮像素子に対する制御手段のブロック図、である。
【００２５】
図３に示すホログラム記録装置は、光源２０と、ビームスプリッタ２１と、光走査器２２と、空間光変調器２３と、集束レンズ２４，２９等を有して構成される。
【００２６】
図３に示すように光源２０から発せられたレーザ光（コヒーレント光）は、前記ビームスプリッタ２１によって２方向に分割され、前記ビームスプリッタ２１を透過したデータ光２５は前記空間光変調器２３に入射される。
【００２７】
前記空間光変調器２３には、例えば、物体等の画像データが２値（０，１）のデジタル信号（記録信号）として入力される。前記空間光変調器２３では、前記デジタル信号を「明，暗」の二次元のデジタルデータに変換する。例えば″１″信号を、「明」のデジタルデータに変換し、″０″信号を、「暗」のデジタルデータに変換する。
【００２８】
図４は前記空間光変調器２３の上面２３ａ（光源２０からの光が入射する入射面）の形態を示す。前記入射面２３ａには、格子状に多数のデジタルデータ変換領域２３ｂ，２３ｃ・・が設けられている。前記空間光変調器２３は例えば液晶素子である。前記空間光変調器２３は、格子状に配列された多数の画素２６を有する。各デジタルデータ変換領域２３ｂ，２３ｃ・・は、それぞれ１画素で形成されるか、あるいは図４の右上に図示されたデジタルデータ変換領域２３ｄのように、複数の画素２６が一組となって一つの前記デジタルデータ変換領域２３ｄを形成している。なお一つの前記デジタルデータ変換領域２３ｄを構成する複数の画素には同じデジタル信号が入力される。
【００２９】
各デジタルデータ変換領域２３ｂ，２３ｃ・・・にそれぞれ″０″か″１″のデジタル信号が入力される。そして″０″のデジタル信号が入力されたデジタルデータ変換領域２３ｂ，２３ｃ・・・では、前記デジタル信号を「暗」のデジタルデータに変換し、″１″のデジタル信号が入力されたデジタルデータ変換領域２３ｂ，２３ｃ・・・では、前記デジタル信号を「明」のデジタルデータに変換するのである。前記「明」のデジタルデータでは、光２５を透過させて空間光変調器変調器２３の下面から記録媒体２７に向けて、この光２５を出射するが、「暗」のデジタルデータは光２５を遮断する。
【００３０】
図４に示すように各デジタルデータ変換領域２３ｂ，２３ｃ・・は、間隔Ｌ１を空けて形成されている。前記間隔Ｌ１内は、光２５を遮断する領域である。図４では、前記空間光変調器２３の形成時、隣り合うデジタルデータ変換領域２３ｂ，２３ｃ・・どうしを離して形成し、前記デジタルデータ変換領域２３ｂ，２３ｃ間に光を遮断するスペーサなどを挿入しておく。図４は、前記空間光変調器２３の上面側（入射面側）の形態であるが、この形態が前記空間光変調器２３の下面側（出射面側）に設けられていてもよい。前記空間光変調器２３の上下面が図４に示す形態であってもよいし、あるいは一方の面のみが図４に示す形態であってもよい。
【００３１】
データ光２５の光強度は、前記空間光変調器２３を透過することで空間変調され、さらに前記データ光２５は集束レンズ２４によって集束させられ、前記記録媒体２７上の一定の地点に入射される。
【００３２】
一方、前記ビームスプリッタ２１で反射した参照光２８は、光走査器２２によって反射される。前記光走査器２２は例えばガルバノミラーである。前記光走査器２２によって反射させられた参照光２８は集束レンズ２９によって集束させられ、前記記録媒体２７上の一定の地点に入射される。
【００３３】
なお前記集束レンズ２４，２９を設けず、平行光の前記データ光２５及び参照光２８が記録媒体２７に照射されるようにしてもよい。なお図１及び図２では、前記データ光２５及び参照光２８を平行光として表している。
【００３４】
図１に示すように、前記参照光２８とデータ光２５が記録媒体２７に照射されると、前記参照光２８とデータ光２５とが重なる領域に、デジタルデータ３０が記録される。記録された前記デジタルデータ３０は記録媒体２７内に干渉縞（ホログラム）として現われる。
【００３５】
今、参照光２８の記録媒体２７の表面２７ａに対する入射角度をθ３とし、波長をλ１としてデジタルデータ３０を記録媒体２７に記録したとする。このとき、図４で説明したように、デジタルデータ変換領域２３ｂ，２３ｃ・・は、それぞれ間隔Ｌ１を空けて設けられているため、各デジタルデータ変換領域２３ｂ，２３ｃにて変換された二次元のデジタルデータ３０は、前記記録媒体２７に、従来より広い間隔Ｌ２を空けて記録される。
【００３６】
次に、前記記録媒体２７に記録されたデジタルデータ３０を再生するとき、図２に示すように、参照光４０を前記記録媒体２７に照射する。前記記録媒体２７の表面２７ａに対する入射角度をθ４としたとき、ブラッグ条件式を満たすように、前記参照光４０の波λ２と、入射角度θ４とを適宜設定することで、ブラッグ回折が生じ、再生光（回折光）４１にデジタルデータＤ１〜Ｄ５が表れる。そして前記再生光４１上にＣＣＤやＣＭＯＳなどからなる撮像素子４２を配置しておくことにより、記録媒体２７に記録されているデジタルデータ３０の内容を読み出すことが可能とされている。
【００３７】
図２の再生時、前記参照光４０の入射角度θ４が記録時の参照光２８の入射角度θ３と異なる場合、前記参照光４０の回折角度が、入射角度をθ３とした場合と異なるため、ブラッグ条件式により、再生光４１は、図２のように記録媒体２７の膜厚方向（図示Ｚ方向）に対して斜めに傾いて発せられる。
【００３８】
本発明では、上記したように、前記デジタルデータ３０は、記録媒体２７に、従来に比べて広い間隔Ｌ２を有して記録されている。このため、多少、図２の再生時に、前記参照光４０の入射角度θ４が記録時の参照光２８の入射角度θ３と異なり、図２のように前記再生光４１が前記記録媒体２７の膜厚方向（図示Ｚ方向）に対し斜めに発せられても、前記再生光４１に含まれる各デジタルデータＤ１〜Ｄ５間に間隔Ｌ３が空いており、各デジタルデータＤ１〜Ｄ５どうしが重なり合わない。
【００３９】
このため、従来のようにデジタルデータどうしが重なり合うことで、データがぼやけて再生されたり、あるいは前記データを読み取ることができないといった不具合を抑制でき、適切に前記デジタルデータを前記撮像素子４２にて読み取ることが出来る。
【００４０】
図５は、前記空間光変調器２３の入射面２３ａ（あるいは出射面）に設けられ、格子状に配列された多数のデジタルデータ変換領域２３ｅ，２３ｆ・・・が隣接して設けられている。図５に示すように、各デジタルデータ変換領域２３ｅ，２３ｆ・・・の境界線Ｋ上に沿って、所定幅のマスク５０が設けられている。前記マスク５０は、横方向（図示Ｘ方向）及び縦方向（図示Ｙ方向）に細長い形状にて形成されている。前記マスク５０は光を遮断する材質で形成されている。図５の実施形態では、図４と同様に各デジタルデータ形成領域２３ｅ、２３ｆ・・・が一画素で構成され、あるいは複数の画素が一組となって構成されている。図５に示すように前記各デジタルデータ変換領域２３ｅ，２３ｆの境界線Ｋ上に所定幅のマスク５０を設けることで、記録時、記録媒体２７に記録される前記デジタルデータ３０は、図１のように従来よりも広い間隔Ｌ２が空けられて記録される。よって図５の空間光変調器２３を用いれば、再生時に、記録時の参照光２８と異なる入射角度θ４にて前記参照光４０が入射されても、再生光４１に含まれる前記デジタルデータＤ１〜Ｄ５どうしが重なり合わず、適切に前記デジタルデータＤ１〜Ｄ５を前記撮像素子４２にて読み取ることが出来る。
【００４１】
なお前記マスク５０下に存在する画素を光を常に透過させないように不感領域として電気的に制御すれば、特に前記マスク５０を設けなくてもよい。
【００４２】
図６は、撮像素子４２の受光部４２ａ側の形態を工夫した実施形態である。図６に示すように、前記撮像素子４２の受光部４２ａは、格子状に配列された複数の画素６０を有する。前記受光部４２ａは、前記再生光４１からデジタルデータＤ１〜Ｄ５を受け取り、前記デジタルデータＤ１〜Ｄ５を「１，０」信号のデジタル信号に変換し、さらにそのデジタル信号を画像処理する。
【００４３】
図６に示す撮像素子４２の受光部４２ａ上には、横方向（図示Ｘ方向）及び縦方向（図示Ｙ方向）に細長い所定幅のマスク６２が設けられている。前記マスク６２は、前記再生光４１を受光しない箇所であり、前記マスク６２は光を遮断する材質で形成されている。前記マスク６２に覆われていない受光部４２ａによって前記再生光４１を受光する。
【００４４】
図６の撮像素子４２を有するホログラム再生装置は、例えば図８，図９で説明したような、ホログラム記録装置側でデジタルデータの間隔を空けて記録する工夫が何らされておらず、再生時、参照光を記録時の入射角度と異なる入射角度とすることで前記デジタルデータどうしの一部が重なって再生される場合にでも使用できる。
【００４５】
再生時、隣り合う前記デジタルデータどうしが重なる箇所は、図６に示す撮像素子４２に設けられたマスク６２の不感領域上に重なり、前記デジタルデータどうしが重なる箇所が、前記不感領域によって再生されないように制御することで、前記デジタルデータどうしが重なっていない箇所だけを適切に前記撮像素子４２にて受け取り再生出来る。図６のように、前記受光部４２ａには多数の画素６０が配列されているが、例えば数画素置きに、１画素分の幅を有するマスク６２を縦方向（図示Ｙ方向）及び横方向（図示Ｘ方向）に網目状に設けるなどし、前記マスク６２によって覆われた画素は、光を受光しない不感領域にしておく。
【００４６】
あるいは前記マスク６２を設けなくても、例えば、前記不感領域として設定する画素の部分が光を受光しないように、電気的に制御しておくことも可能である。また不感領域として設定する画素の部分でデータ光を受光したとしても、データ変換の際に、これら部分のデータを無視するようにデータ処理してもよい。
【００４７】
図７に示すように、撮像素子（ＣＭＯＳ）４２には、不感領域制御手段７０が接続され、さらに前記不感領域制御手段７０には、参照光（記録時）の照射角度検知手段７１及び参照光（記録時）の照射角度検知手段７２が設けられている。前記参照光（記録時）の照射角度検知手段７１では、記録時の参照光の入射角度を検知・入力する。これは、自動あるいは手動によって行なわれる。参照光（再生時）の照射角度検知手段７２では、再生時の参照光の入射角度を検知・入力する。参照光の波長調整手段７３では、ブラッグ条件式に基づき、前記再生時の参照光の入射角度によって記録媒体に記録されたデジタルデータを再生できる波長が適宜選択される。
【００４８】
前記参照光（記録時）の照射角度検知手段７１と参照光（再生時）の照射角度検知手段７２とで入力された参照光の照射角度が異なる場合は、前記照射角度の違いに基づき、不感領域制御手段７０にて、撮像素子４２の受光部４２ａのどの箇所を不感領域（光を受光しない領域）にするか適宜演算処理がなされ、その演算処理情報が撮像素子４２に送られ、所定の画素領域が不感領域に電気的に制御されるようにしてもよい。
【００４９】
なお、図６に示す撮像素子４２の受光部４２ａを、図４と同様に複数に分断し、各受光部４２ａ間に光を受光しない間隔を設けてもよい。
【００５０】
このように、例えば角度多重方式において光源の波長がずれていた場合、また波長多重方式において光の入射角度が記録時とずれていた場合、さらには、記録媒体が温度変化によって膨張収縮した場合等でも、本発明によればデジタルデータを適切に読み取ることが可能になる。
【００５１】
なお本実施形態では、透過型の空間光変調器２３を用いた光学系について説明したが、透過型のものに限ることはなく、光学系構成を適宜変更することで、反射型の空間光変調器を用いることも出来る。
【図面の簡単な説明】
【００５２】
【図１】本発明の実施形態として、ホログラム記録装置によって記録媒体にデジタルデータを記録する概念図、
【図２】本発明の実施形態として、ホログラム再生装置によって記録媒体からデジタルデータを再生する概念図、
【図３】前記ホログラム記録装置の部分構成図、
【図４】本発明の空間光変調器の部分正面図、
【図５】図４とは異なる形態の前記空間光変調器の部分正面図、
【図６】撮像素子（ＣＭＯＳ）の受光部の部分正面図、
【図７】前記撮像素子に対する制御手段のブロック図、
【図８】従来における空間光変調器の部分正面図、
【図９】従来のホログラム記録装置によって記録媒体にデジタルデータを記録する概念図、
【図１０】従来のホログラム再生装置によって記録媒体からデジタルデータを再生する概念図、
【符号の説明】
【００５３】
２０  光源
２１  ビームスプリッタ
２２  光走査器
２３  空間光変調器
２３ｂ、２３ｃ、２３ｄ  デジタルデータ変換領域
２４、２９  集束レンズ２４，２９、
２５  データ光
２６、６０  画素
２７  記録媒体
２８  参照光
４２  撮像素子
４２ａ  受光部
５０、６２  マスク
【図１】
2006244043.tif 000003
【図２】
2006244043.tif 000004
【図３】
2006244043.tif 000005
【図４】
2006244043.tif 000006
【図５】
2006244043.tif 000007
【図６】
2006244043.tif 000008
【図７】
2006244043.tif 000009
【図８】
2006244043.tif 000010
【図９】
2006244043.tif 000011
【図１０】
2006244043.tif 000012